(57)【特許請求の範囲】
【請求項１】
既設穴または既設溝（以下「既設穴等」）がある部材に、該既設穴等より大径の座掘り穴を既設穴等に対し穿孔して会合させる穿孔方法であって、
刃先が該既設穴等にすっぽり嵌まらないような形状および寸法のキリを使用することを特徴とする穿孔方法。
【請求項２】
キリの軸をＺ軸としたときＺ軸に直交して刃先を含む平面（Ｚ＝ａ）上に存在する２本の平行線の距離のうち、前記平行線の間に前記平面によるキリの切断面の全てが位置し、かつ前記平行線と前記切断面が交わらない場合の平行線の最小距離をｆ（ａ）とし、ａの値を変化させたときのｆ（ａ）のうち最大の値をＦとしたときに、刃先の有効幅寸法の値Ｆが既設穴等の径ｗより大きいキリを用いることを特徴とする、請求項１に記載する穿孔方法。
【請求項３】
既設穴を有する軽量気泡コンクリートパネルの施工方法であって、
請求項１〜請求項２に記載する穿孔方法で既設穴に対して略直交方向に該既設穴より大径の座掘り穴を穿孔したのちに、既設穴に挿入する棒状または管状の係止杆と、座掘り穴に挿入する一端に該係止杆との係合部を持つ取付金具とを軽量気泡コンクリートパネル内で係合させ、しかるのちに該取付金具を直接または別部材を介して建物躯体に緊結する軽量気泡コンクリートパネルの施工方法。
【発明の詳細な説明】
【技術分野】
【０００１】
建築物の施工分野、とりわけ軽量気泡コンクリート（ＡＬＣ）パネルの施工分野に関する。
【背景技術】
【０００２】
特許文献１には、図１０に示す施工手順のように、 ＡＬＣパネルの小口面から当該面に略垂直にあけられた既設穴２１とＡＬＣパネル内部で会合するようにＡＬＣパネル室内側表面から座掘り穴２２を穿孔して、しかる後にＡＬＣパネル室内側表面の該座掘り穴から一端に係止部を持つ取付金具４を挿入し、また、ＡＬＣパネル小口面の該既設穴から棒状または管状の係止杆３を挿入してＡＬＣパネル内部で係合させるＡＬＣパネル取付構造がある。
このＡＬＣ取付構造に用いる係止杆として、例えば、図１１および図１２に示すような棒状または管状の係止杆３や、図１３に示すような長さ中央部に雌ネジ部を持つ棒状または管状の係止杆３などが用いられている。
【０００３】
また、このＡＬＣパネル取付構造に用いる取付金具として、例えば、図１１に示すような一端に係合部４１として係止杆を挿通できる挿通孔を持ち他端に雄ネジ部を持つ取付金具４や、図１２に示すような一端に係合部４１として係止杆を挿通できる挿通孔を持ち他端に雌ネジ部を持つ取付金具４や、図１３に示すような一端に係合部４１として雄ネジを持つ取付金具４などが用いられている。
従来はＡＬＣパネル室内側表面から座掘り穴を穿孔する際に、図２（ａ）、（ｂ）、（ｃ）に示すようにキリ先端方向から見て２枚の刃が略一直線状に配置されており、かつ、刃先の有効幅寸法の値Ｆが既設穴の径ｗより小さい２枚刃キリを使用している。
【０００４】
しかし、図５のように前記２枚刃のキリを使用して座掘り穴を穿孔する場合、図６、図７のように、座掘り穴が既設穴と会合した時にキリの刃先が既設穴にすっぽり嵌まってしまうことがしばしば起こるため、刃先以外の部分が既設穴側面と噛み合ってキリの回転が急停止し、その反動で電動ドリル本体に急激に回転トルクが伝達され、電動ドリルを持つ手が捻られるいわゆる「手こね」が起きて手首を痛めたり、電動ドリルが故障したりする原因になることがあった。また、回転が止まったキリを再始動させるためにキリを座掘り穴から抜き挿ししなければならないため、作業能率が芳しくなかった。
【特許文献１】特許１９２５７２４号公報
【発明の開示】
【発明が解決しようとする課題】
【０００５】
本発明は、ＡＬＣパネル表面から座掘り穴を穿孔して、小口面からあけられた既設穴など既設穴等と会合する際に、既設穴等にキリの刃先がすっぽり嵌まってキリ刃先以外の部分が既設穴等の側面と噛み合ってキリの回転が止められることがない穿孔方法を提供するものである。
【課題を解決するための手段】
【０００６】
刃先が既設穴等にすっぽり嵌まらないような形状および寸法のキリを使用する穿孔方法の第一構成は、既設穴または既設溝（以下「既設穴等」）がある部材に、該既設穴等より大径の座掘り穴を既設穴等に対し穿孔して会合させる穿孔方法であって、刃先が該既設穴等にすっぽり嵌まらないような形状および寸法のキリを使用することを特徴とする。
また、本発明の穿孔方法の第二構成は、第一構成において、刃先の有効幅寸法の値Ｆが既設穴等の径ｗより大きいキリを用いることを特徴とする。
そして、本発明のＡＬＣパネルの施工方法の構成は、前記第一乃至第二構成の穿孔方法において既設穴に対して略直交方向に該既設穴より大径の座掘り穴を穿孔したのちに、既設穴に挿入する棒状または管状の係止杆と、座掘り穴に挿入する一端に該係止杆との係合部を持つ取付金具とをＡＬＣパネル内で係合させ、しかるのちに該取付金具を直接または別部材を介して建物躯体に緊結することを特徴とする。
【０００７】
本発明において、「刃先の有効幅寸法」とは、キリの軸をＺ軸としたときＺ軸に直交して刃先を含む平面（Ｚ＝ａ）上に存在する２本の平行線の距離のうち、前記平行線の間に前記平面によるキリの切断面の全てが位置し、かつ前記平行線と前記切断面が交わらない場合の平行線の最小距離をｆ（ａ）とし、ａの値を変化させたときのｆ（ａ）のうち最大の値Ｆのことを意味する。
【発明の効果】
【０００８】
本発明の穿孔方法によれば、既設穴等にキリの刃先がすっぽり嵌まってキリの回転が止められることなく穿孔し続けることができるため、いわゆる「手こね」を防止して作業安全性が向上し、電動ドリルの故障も防止でき、作業能率も向上する効果が得られる。
【発明を実施するための最良の形態】
【０００９】
図１（ａ）、（ｂ）、（ｃ）は本発明に掛かる３枚刃キリを示す模式図である。このキリを用いて座掘り穴をＡＬＣパネルの既設穴と略直交する方向に穿孔する。図８、図９のように座掘り穴が既設穴と会合しても、刃先の有効幅寸法の値Ｆが既設穴の径ｗより大きいため、キリ刃先が既設穴に嵌まることがなく、キリの回転が止められることがない。
図１０に示すように、座掘り穴を穿孔したのちに、既設穴に挿入する図１１のような棒状または管状の係止杆３と、座掘り穴に挿入する図１１のような一端に該係止杆との係合部を持つ取付金具４とをＡＬＣパネル内で係合させる。しかるのちに該取付金具を直接または別部材を介して建物躯体に緊結することで、ＡＬＣパネルが建物躯体に取り付けられる。
【実施例】
【００１０】
本発明を実施例に基づいて説明する。
［実施例１］
図１（ａ）、（ｂ）、（ｃ）は本発明の実施例１に用いる３枚刃キリを示す模式図である。このキリを用いて座掘り穴をＡＬＣパネルの既設穴と略直交する方向に穿孔する。図８、図９のように座掘り穴が既設穴と会合しても、刃先の有効幅寸法の値Ｆが既設穴の径ｗより大きいため、キリ刃先が既設穴に嵌まることがなく、キリの回転が止められることがない。
図１０に示すように、座掘り穴を穿孔したのちに、既設穴に挿入する図１１のような棒状または管状の係止杆３と、座掘り穴に挿入する図１１のような一端に該係止杆との係合部を持つ取付金具４とをＡＬＣパネル内で係合させる。しかるのちに該取付金具を直接または別部材を介して建物躯体に緊結することで、ＡＬＣパネルが建物躯体に取り付けられる。
３枚刃キリの代わりに刃先の有効幅寸法の値Ｆを既設穴等の径ｗより大きくした４枚以上の刃を持つキリ（図示せず）を使用しても良い。
また、ＡＬＣパネルの既設穴と略直交する方向に穿孔する場合だけでなく、斜め方向、例えば３０度や４５度の方向に穿孔する場合にも同様の効果を奏する。
実施例１では、係止杆や取付金具は図１２、図１３のものを使用することもできる。
【００１１】
［実施例２］
図３（ａ）、（ｂ）、（ｃ）、図４（ａ）、（ｂ）、（ｃ）は本発明の実施例２に用いる刃先の有効幅寸法の値Ｆが既設穴等の径ｗより大きい２枚刃キリを示す模式図である。刃先の有効幅寸法の値Ｆが既設穴等の径ｗより大きいため、座掘り穴が既設穴等と会合した際も、キリ刃先が既設穴等にキリ刃先が既設穴等に嵌まることがなく、キリの回転が止められることがなく、実施例１と同様の効果を奏する。
座掘り穴を穿孔したのち、ＡＬＣパネルを建物躯体に緊結する方法は実施例１と同様である。
【図面の簡単な説明】
【００１２】
【図１】（ａ）先端方向から見た、本発明による実施例１に示すキリの模式図（ｂ）Ｚ＝ａ平面で切断した、本発明による実施例１に示すキリの断面図（ｃ）側方向から見た、本発明による実施例１に示すキリの模式図
【図２】（ａ）先端方向から見た、従来技術による２枚刃キリの模式図（ｂ）Ｚ＝ａ平面で切断した、従来技術による２枚刃キリの断面図（ｃ）側方向から見た、従来技術による２枚刃キリの模式図
【図３】（ａ）先端方向から見た、本発明による実施例２に示すキリの模式図（ｂ）Ｚ＝ａ平面で切断した、本発明による実施例２に示すキリの断面図（ｃ）側方向から見た、本発明による実施例２に示すキリの模式図
【図４】（ａ）先端方向から見た、本発明による実施例２に示すキリの模式図（ｂ）Ｚ＝ａ平面で切断した、本発明による実施例２に示すキリの断面図（ｃ）側方向から見た、本発明による実施例２に示すキリの模式図
【図５】既設穴等がある部材に座掘り穴を穿孔している状態を示す模式図
【図６】従来技術によるキリを用いて穿孔した座掘り穴が既設穴等と会合して、キリ刃先が既設穴等に嵌まった状態を示す模式図
【図７】図６に示す模式図のＹ１〜Ｙ１断面図
【図８】本発明によるキリを用いて穿孔した座掘り穴が既設穴等と会合しても、キリ刃先が既設穴等に嵌まることがない状態を示す模式図
【図９】図８に示す模式図のＹ２〜Ｙ２断面図
【図１０】ＡＬＣパネルの表面から座掘り穴をあけ、ＡＬＣパネル内部で係止杆と取付金具を係合させる施工手順
【図１１】係止杆と取付金具が係合した状態の一例を示す斜視図
【図１２】係止杆と取付金具が係合した状態の一例を示す斜視図
【図１３】係止杆と取付金具が係合した状態の一例を示す斜視図
【符号の説明】
【００１３】
１  キリ
２  既設穴等がある部材
３  係止杆
４  取付金具
１１  刃先
１２  溝部
２１  既設穴等
２２  座掘り穴
３１  係合部
４１  係合部
【図１】
0004823775.tif 000002
【図２】
0004823775.tif 000003
【図３】
0004823775.tif 000004
【図４】
0004823775.tif 000005
【図５】
0004823775.tif 000006
【図６】
0004823775.tif 000007
【図７】
0004823775.tif 000008
【図８】
0004823775.tif 000009
【図９】
0004823775.tif 000010
【図１０】
0004823775.tif 000011
【図１１】
0004823775.tif 000012
【図１２】
0004823775.tif 000013
【図１３】
0004823775.tif 000014